(57)【特許請求の範囲】
【請求項１】
軟質シートからなる開閉可能な通路体の両面を一対の押えバネ板で挟み付けるとともに、押えバネ板を所定の曲率で屈曲させた状態で保持することにより密着させ、常態では通路体が閉じており、押えバネ板間の通路体内に棒状体を挿入した時には内側の押えバネ板が変形して通路体が開き、棒状体を引き抜いたときには内側の押えバネ板が復元力により外側の押えバネ板に密着して、通路体が閉じられるようにした容器開口部の押えバネ板付き開閉機構において、所定の曲率で屈曲させた外側の押えバネ板を通路体と直角の方向にヒンジを介して蓋体を設け、この蓋体を閉じて外側の押えバネ板と結合した際に、蓋体で内側の押えバネ板を外側の押えバネ板に沿って所定の曲率で屈曲した状態に押えるようにしたことを特徴とする容器開口部の押えバネ板付き開閉機構。
【請求項２】
外側の押えバネ板と蓋体の結合が、いずれか一方の端部が厚さ方向に貫通した受け口を備え、他方の端部が上記受け口にはまり合うフックを備え、両者をはめ込んで結合するようにした請求項１に記載の容器開口部の押えバネ板付き開閉機構。
【請求項３】
外側の押えバネ板もしくは蓋体が、その周囲に内側の押えバネ板の保持ガイドを設けてなる請求項１または２に記載の容器開口部の押えバネ板付き開閉機構。
【請求項４】
外側の押えバネ板が、棒状体を挿入する位置に挿入ガイドを設けてなる請求項１ないし３のいずれかに記載の容器開口部の押えバネ板付き開閉機構。
【請求項５】
蓋体が、内側の押えバネ板を外側の押えバネ板に沿って所定の曲率で屈曲した状態に押えるリブを備えてなる請求項１ないし４のいずれかに記載の容器開口部の押えバネ板付き開閉機構。
【請求項６】
外側の押えバネ板および蓋体が、プラスチック成形品からなる請求項１ないし５のいずれかに記載の容器開口部の押えバネ板付き開閉機構。
【請求項７】
内側の押えバネ板が、プラスチックシート、金属シート、あるいはこれらを構成材料とする複合シートから選ばれてなる請求項１ないし６のいずれかに記載の容器開口部の押えバネ板付き開閉機構。
【請求項８】
軟質シートからなる開閉可能な通路体が、２枚の軟質シートを通路部分の両側で貼付したものからなる請求項１ないし７のいずれかに記載の容器開口部の押えバネ板付き開閉機構。
【請求項９】
軟質シートが、ゴムシート、プラスチックシート、耐水紙、防水布、アルミ箔あるいはこれらの複合シートから選ばれてなる請求項１ないし８のいずれかに記載の容器開口部の押えバネ板付き開閉機構。
【発明の詳細な説明】
【０００１】
【発明の属する技術分野】
この発明は瓶やＰＥＴボトル、缶、紙パック等の種々の容器に適用される容器開口部の押えバネ板付き開閉機構に関するものである。
【０００２】
【従来の技術】
従来、瓶やＰＥＴボトル、缶、紙パック等の容器の開口部は、容器と異なる材質のキャップを取り付けたり、プルトップ式の開口部を形成したり、ストローを差し込めるようにした蒸着フィルム等からなる封緘シールを貼付することによって密封されている。
【０００３】
【発明が解決しようとする課題】
しかしながら、瓶やＰＥＴボトルのように容器と異なる材質のキャップを取り付けたものにおいては、キャップの容器開口部への取り付け、取り外しに手間がかかり、散逸しやすいことはもちろん、使用後の廃棄処理に際して容器と異なる材質のキャップの処分に困るという欠点があった。
【０００４】
またスチール缶やアルミ缶のように、プルトップ式の開口部を形成したものにおいては、散逸しやすい上に、一旦開口すると閉じることができないため、こぼれやすいので運びにくく、保管しておいて何回にも分けて飲食することが難しいという欠点があった。
【０００５】
さらに、紙パック等の容器の開口部に蒸着フィルム等からなる封緘シールを貼付することによって、封緘シールにストローを差し込めるようにしたものにおいては、うかつに紙パックを掴むと内容物がストローを差し込んだ開口部から噴き出してきてしまって外にこぼれたり、使用後の廃棄処理に際して容器と異なる材質の封緘シールの処分に困るという欠点があった。
【０００６】
この発明の容器開口部の押えバネ板付き開閉機構は従来例の上記欠点を解消しようとするものであり、使用後の廃棄処理に際して容器と一緒にそのまま焼却等の廃棄処分をすることができ、使用後は自動的に開口部が閉じるために容器を掴んだり運んだりしてもこぼれることがないので、保管しておいて何回にも分けて飲食することが可能な容器開口部の押えバネ板付き開閉機構を提供しようとするものである。
【０００７】
【課題を解決するための手段】
すなわちこの発明の容器開口部の押えバネ板付き開閉機構は、軟質シートからなる開閉可能な通路体の両面を一対の押えバネ板で挟み付けるとともに、押えバネ板を所定の曲率で屈曲させた状態で保持することにより密着させ、常態では通路体が閉じており、押えバネ板間の通路体内に棒状体を挿入した時には内側の押えバネ板が変形して通路体が開き、棒状体を引き抜いたときには内側の押えバネ板が復元力により外側の押えバネ板に密着して、通路体が閉じられるようにした容器開口部の押えバネ板付き開閉機構において、所定の曲率で屈曲させた外側の押えバネ板を通路体と直角の方向にヒンジを介して蓋体を設け、この蓋体を閉じて外側の押えバネ板と結合した際に、蓋体で内側の押えバネ板を外側の押えバネ板に沿って所定の曲率で屈曲した状態に押えるようにしたことを特徴とするものである。
【０００８】
この発明の容器開口部の押えバネ板付き開閉機構は、上記外側の押えバネ板と蓋体の結合が、いずれか一方の端部が厚さ方向に貫通した受け口を備え、他方の端部が上記受け口にはまり合うフックを備え、両者をはめ込んで結合するようにしたことをも特徴とするものである。
【０００９】
この発明の容器開口部の押えバネ板付き開閉機構は、上記外側の押えバネ板もしくは蓋体が、その周囲に内側の押えバネ板の保持ガイドを設けるようにしたことをも特徴としている。
【００１０】
この発明の容器開口部の押えバネ板付き開閉機構は、上記外側の押えバネ板が、棒状体を挿入する位置に挿入ガイドを設けたことをも特徴としている。
【００１１】
この発明の容器開口部の押えバネ板付き開閉機構は、上記蓋体が、内側の押えバネ板を外側の押えバネ板に沿って所定の曲率で屈曲した状態に押えるリブを備えたことをも特徴としている。
【００１２】
この発明の容器開口部の押えバネ板付き開閉機構は、上記外側の押えバネ板および蓋体が、プラスチック成形品からなるものであることをも特徴としている。
【００１３】
上記容器開口部の押えバネ板付き開閉機構において、内側の押えバネ板が、プラスチックシート、金属シート、あるいはこれらを構成材料とする複合シートから選ばれてなることも特徴としている。
【００１４】
上記容器開口部の押えバネ板付き開閉機構において、軟質シートからなる開閉可能な通路体が、２枚の軟質シートを通路部分の両側で貼付したものからなることも特徴としている。
【００１５】
上記容器開口部の押えバネ板付き開閉機構において、軟質シートが、ゴムシート、プラスチックシート、耐水紙、防水布、アルミ箔あるいはこれらの複合シートから選ばれていることも特徴としている。
【００１６】
この発明の容器開口部の押えバネ板付き開閉機構によれば、使用後の廃棄処理に際して容器と一緒にそのまま焼却等の廃棄処分をすることができ、使用後は自動的に開口部が閉じるために容器を掴んだり運んだりしてもこぼれることがないので、保管しておいて何回にも分けて飲食することができる容器開口部の押えバネ板付き開閉機構を提供することが可能となった。
【００１７】
【発明の実施の形態】
以下、図面に基づき、この発明の容器開口部の押えバネ板付き開閉機構の実施の形態について説明する。
【００１８】
図１は、この発明の容器開口部の押えバネ板付き開閉機構（以下開閉機構と称する）を容器に適用した例を示す概略図である。図中（イ）はポリ袋類の例を示し、（イ−１）はシート状のポリ袋１０１にこの発明の開閉機構１１１を適用した場合、（イ−２）は円形の底１０３を設けたポリ袋１０２にこの発明の開閉機構１１１を適用した場合を示すものである。
【００１９】
（ロ）は紙パック類の例を示し、（ロ−１）は果汁飲料等の小さめの紙パック１０４にこの発明の開閉機構１１１を適用した場合、（ロ−２）は牛乳等の大きめの紙パック１０５にこの発明の開閉機構１１１を適用した場合を示すものである。
【００２０】
（ハ）は瓶類やＰＥＴボトル類の例を示し、（ハ−１）は清涼飲料等のための小型の瓶１０６にこの発明の開閉機構１１１を適用した場合、（ハ−２）は大型のＰＥＴボトル１０７にこの発明の開閉機構１１１を適用した場合を示すものである。
【００２１】
（ニ）は紙コップ類の例を示し、蓋１０９を備えた紙コップ１０８の蓋１０９の部分にこの発明の開閉機構１１１を適用した場合を示すものである。
【００２２】
以下、上記開閉機構１１１の詳細について説明する。
【００２３】
図２は開閉機構１１１を構成している、軟質シートからなる開閉可能な通路体を示すものである。この通路体１は２枚の軟質シートを貼り合わせて作成することができ、通路部分２は筒状に開口することが可能である。また通路部分２の両側には、下記押えバネ板間に挟み込んで通路体１を保持するずれ止め片３が形成されている。４はずれ止め片３の位置から突出している通路体１のガイド部である。
【００２４】
上記通路体１としては、使用する軟質シートを、ゴムシート、プラスチックシート、耐水紙、防水布、アルミ箔あるいはこれらの複合シートから選ぶことが望ましい。
【００２５】
図２において（イ）は通路体１の通路部分２が閉じている場合を示し、（ロ）は通路体１の通路部分２が開いていて、容器の内容物が通過している状態を示している。
【００２６】
図３は通路体１の通路部分２を、２枚の軟質シートを貼り合わせて加熱溶着する場合を示すものである。図において（イ）はガイド部４の反対側に向かってつぼまっているテーパ状の通路部分２を示す。（ロ）はガイド部４の反対側に向かってつぼまり、さらにその先は筒状になっている通路部分２を示す。（ハ）はガイド部４の反対側に向かって所定の広さの部分があってからつぼまり、さらにその先は筒状になっている通路部分２を示す。（ニ）はガイド部４と同じ径の筒状に形成された通路部分２を示す。
【００２７】
上記通路体１の通路部分２の幅は、挿入する棒状体の径に応じて挿入が無理なく行なえ、しかも挿入した棒状体の周囲に通気可能な余裕を持つ程度のサイズが望ましい。こうすることによって容器に内容物を充填する際に、棒状体部分から内容物を充填しながら、その周囲から容器内の空気を放出させて充填作業を無理なく行なわせることができる。
【００２８】
上記通路体１に通路部分２を形成する手段としては、２枚の軟質シートを貼り合わせてずれ止め片３部分で加熱溶着する手段が望ましいが、他の形成手段でも良いことはもちろんである。ずれ止め片３の溶着に際しては、通路部分２との境界のみ溶着すれば十分である。
【００２９】
図４（イ）ないし（ハ）は上記通路体１を挟み込んで開閉、特に自動的に密閉させるための押えバネ板の例を示すものである。外側の押えバネ板５は内側の押えバネ板６（図示せず）と別々に形成されている。そして外側の押えバネ板５の端部には、プラスチックヒンジ７を介して蓋体８が、左右の方向に延長するよう形成されている。この外側の押えバネ板５、プラスチックヒンジ７および蓋体８は、ポリエチレン、ポリプロピレン、ポリエステル、ポリカーボネート等からなるプラスチック素材を射出成形で所定の形状に成形することが望ましい。もちろん、成形の方法はこの射出成形に限るものではない。
【００３０】
図４（イ）において、外側の押えバネ板５の上部両側および下部両側にはそれぞれ保持ガイド９が突設されている。また上記外側の押えバネ板５の上端中央には、棒状体を挿入する位置に挿入ガイド１０が設けてある。
【００３１】
図４（イ）の例では上記蓋体８は、平板のほぼ中央に棒状体を通した通路体１を収納する円弧状断面のガイド溝１２が形成されており、その両側には内側の押えバネ板６を押さえるためのリブ１３が、通路体１の長さ方向に沿って一対形成されている。このリブ１３の長さや形状、位置や数は、上記内側の押えバネ板６の厚さやサイズ等に応じて適宜決定することができる。ただし、内側の押えバネ板６の開閉反応を損なわないだけの十分な長さや形状、位置や数を持たせることが望ましい。
【００３２】
また１４は、蓋体８の端部に設けた外側の押えバネ板５と結合させるためのフックである。このフック１４は、外側の押えバネ板５の端部に厚さ方向に貫通するよう設けた受け口１５にはめ込まれ、抜け止めするようになっている。このようにして押えバネ板５，６を蓋体８とともに所定の曲率で曲げた状態で固定することにより、非常に耐久性に優れた開閉機構１１１を得ることができる。
【００３３】
図４（ロ）の例ではこの蓋体８は、ガイド溝１２の両側に内側の押えバネ板６を押さえるためのリブ１３が、通路体１の長さ方向に対して直角の方向に形成されている。
【００３４】
図４（ハ）の例ではこの蓋体８は、両端から外側の押えバネ板５に沿って内向きに傾いた状態で中央の円弧状断面のガイド溝１２につながっており、上記内側の押えバネ板６を押さえるためのリブ１３は形成されていない。
【００３５】
上記においてフック１４および受け口１５からなる結合手段を例示したが、このような結合手段のみならず、他の形状や構造、あるいは熱溶着等の手段も使用できる。
【００３６】
なお上記外側の押えバネ板５および蓋体８はそれぞれ同じ肉厚であっても、また肉厚を異ならせておいてもよい。通路体１との関係でいえば、外側の押えバネ板５および蓋体８は変形しない程度の厚みを必要とし、また通路体１は柔軟性を要するため薄手のものを使用し、内側の押えバネ板６はその機能上、所定の肉厚であることを必要とする。もちろん、内側の押えバネ板６は通路体１よりも厚いものであることが望ましい。
【００３７】
上記通路体１および内側の押えバネ板６の材質としては、プラスチックシート、金属シート、あるいはこれらを構成材料とする複合シートから選ぶことができる。プラスチックシートの例としては、ポリエチレン、ポリプロピレン、ポリエステル、ポリカーボネート等が挙げられる。この場合、通路体１を同じ材質とすることが望ましい。
【００３８】
上記内側の押えバネ板６の厚さとしては、上記ポリエチレン等のプラスチックシートを使用した場合、約０．１〜０．５ｍｍのものを使用することが望ましい。また押えバネ板５，６の寸法は矩形の場合を例に取れば、横軸：縦軸比率で約２〜１．５：１が望ましい。例えば、横軸：縦軸の実寸で４０ｍｍ：２５ｍｍ、３５ｍｍ：２０ｍｍ、３０ｍｍ：１１ｍｍ等の寸法とすることができる。
【００３９】
上記押えバネ板５，６を湾曲させた場合の曲率半径は、１１ｍｍ〜４０ｍｍが望ましい。小さい曲率では押えバネ板５，６の通路体１を挟む力が強い上、棒状体１１の挿抜に対する反応がよい。逆に，曲率半径を大きくしていって押えバネ板５，６の通路体１を挟む力や、棒状体を挿抜する際の力加減を調整することができる。
【００４０】
素材的には通路体１および押えバネ板５，６、蓋体８を構成するプラスチック素材やシート類の何れも単一素材を使用することが望ましい。例えば日常家庭等で使用される、プラスチック系、あるいはこれらとアルミ箔等との複合シートからなる袋と同様の素材が、素材としての汎用性、加工性、ゴミ化した後の処理性等において、この発明の上記課題の解決にきわめて好適であることを確認している。
【００４１】
図５ないし図９に、通路体１を押えバネ板５，６で挟み込んでこの発明の開閉機構１１１を構成した状態を示す。すなわち、図５は外側の押えバネ板５と蓋体８を開いた状態を示し、図６は外側の押えバネ板５の保持ガイド９に沿って通路体１および内側の押えバネ板６を構成する長尺シートを収納した状態を示し、図７は、蓋体８のフック１４を外側の押えバネ板５の受け口１５にはめ込んで通路体１の両側を挟み付けた状態を示している。この完成状態を示す図７において通路体１は、内側の押えバネ板６とともに蓋体８のリブ１３で外側の押えバネ板５に押し付けられている。
【００４２】
上記のようにして組み付けられた開閉機構１１１は、図８および図９のように通路体１が押えバネ板５，６の湾曲に連れて湾曲した状態で円弧状に保持され、さらに蓋体８がその弦の位置にある。このようにしておけば、内側の押えバネ板６の形状を蓋体８により外側の押えバネ板５に沿って保持した上、上記リブ１３により確実にその湾曲を保たせることができ、通路体１を強固に圧着することができる。
【００４３】
そして、上記のように構成したこの発明の容器開口部の開閉機構の作用について説明する。
【００４４】
図１０は、通路体１にストローその他の棒状体１１を挿入した状態を示している。この開閉機構１１１は、通路体１の通路部分２の内部に棒状体１１を挿入することにより、押えバネ板５，６により密着していた通路部分２の密着を解いて、通路を確保せしめるものである。この実施例においてはこのような棒状体１１としてストローを使用してより確実な通路を確保しようとしている。
【００４５】
上記作用をより詳細に説明する図１１において、ストローからなる棒状体１１の先端を通路体１のガイド部４の上端から挿入する。実際には、この部分にキャップや取り付け口を付けることにより、棒状体１１を挿入しやすい形状としておく。そして、図（イ）から（ハ）のように徐々に棒状体１１を押し下げて行くと、通路体１の通路部分２は内側の押えバネ板６ごと押し広げられていく。
【００４６】
そして棒状体１１をさらに押し下げると、蓋体８によって外側の押えバネ板５に押し付けられていた内側の押えバネ板６が、棒状体１１に沿って全長にわたって押し広げられ、図（ニ）のように容器の内容物が自由に流通することができるようになる。
【００４７】
逆に、容器開口部を閉じようとする場合には単に棒状体１１を引き抜けばよい。すなわち、内側の押えバネ板６が徐々に元の位置に復帰して外側の押えバネ板５に密着し、通路体１の通路部分２は図（ニ）から（イ）を逆にたどって、再び全長が自動的に密着することとなる。このとき、容器開口部に設けた開閉機構１１１に容器内から内容物を押し出そうとする圧力が加わると、押えバネ板５，６を介して通路体１に圧力が伝達され、通路体１の通路部分２はより一層密閉される。
【００４８】
【発明の効果】
この発明の容器開口部の押えバネ板付き開閉機構によれば、使用後の廃棄処理に際して容器と一緒にそのまま焼却等の廃棄処分をすることができる。
【００４９】
使用後は自動的に容器開口部が閉じるために容器を掴んだり運んだりしてもこぼれることがないので、保管しておいて何回にも分けて飲食することが可能となった。
【００５０】
また、上記開閉機構を含めた容器全体を単一の素材で構成した場合には、製造工程が単純化し、なおかつゴミ化後の処理が単純化されるのでリサイクル性の高い容器を提供することができる。
【００５１】
この発明においては、外側の押えバネ板および蓋体をプラスチックで一体的に成形して形成したので、開閉機構の作成が簡単に行なえるようになり、非常に量産性に優れた容器開口部の押えバネ板付き開閉機構を提供することができるようになった。
【図面の簡単な説明】
【図１】この発明の容器開口部の押えバネ板付き開閉機構を容器に適用した例を示す概略図で、（イ）はポリ袋類の例を示し、（ロ）は紙パック類の例を示し、（ハ）は瓶類やＰＥＴボトル類の例を示し、（ニ）は紙コップ類の例を示すものである。
【図２】この発明の容器開口部の開閉機構を構成している、軟質シートからなる開閉可能な通路体を示し、（イ）は通路体の通路部分が閉じている場合、（ロ）は通路体の通路部分が開いていて、容器の内容物が通過している状態を示す、それぞれ斜視図およびＡ−Ａ断面図である。
【図３】（イ）〜（ニ）は、通路体を２枚の軟質シートを貼り合わせて加熱溶着する場合を示す概略斜視図である。
【図４】（イ）〜（ハ）は外側の押えバネ板および蓋体を一体的に形成した例を示すそれぞれ斜視図である。
【図５】外側の押えバネ板および蓋体を開いた例を示す斜視図である。
【図６】外側の押えバネ板および蓋体間に通路体を組み付ける状態を示す斜視図である。
【図７】外側の押えバネ板と蓋体とを結合した状態を示す斜視図である。
【図８】外側の押えバネ板と蓋体とを結合した状態を示す拡大平面図である。
【図９】外側の押えバネ板と蓋体とを結合した状態を示す拡大断面図である。
【図１０】通路体に棒状体を挿入した状態を示す拡大断面図である。
【図１１】（イ）〜（ニ）は通路体に棒状体を挿入した状態を段階的に示す断面図である。
【符号の説明】
１  通路体
２  通路部分
３  ずれ止め片
４  ガイド部
５  外側の押えバネ板
６  内側の押えバネ板
７  ヒンジ
８  蓋体
９  保持ガイド
１０  挿入ガイド
１１  棒状体
１２  ガイド溝
１３  リブ
１４  フック
１５  受け口
１０１  ポリ袋
１０２  ポリ袋
１０３  底
１０４  紙パック
１０５  紙パック
１０６  瓶
１０７  ＰＥＴボトル
１０８  紙コップ
１０９  蓋
１１１  開閉機構
【図１】
0003873176.tif 000002
【図２】
0003873176.tif 000003
【図３】
0003873176.tif 000004
【図４】
0003873176.tif 000005
【図５】
0003873176.tif 000006
【図６】
0003873176.tif 000007
【図７】
0003873176.tif 000008
【図８】
0003873176.tif 000009
【図９】
0003873176.tif 000010
【図１０】
0003873176.tif 000011
【図１１】
0003873176.tif 000012